(57)【特許請求の範囲】
【請求項１】
側壁に縦スリットを有しこの縦スリットの上端部に金具挿通用開口を有する器具本体と、前記金具挿通用開口および前記縦スリットに挿通可能な略Ｕ字形部を有するとともに前記器具本体の内面に当接する操作部を前記略Ｕ字形部のＵ字折曲部と反対側端部に有しさらに前記金具挿通用開口を挿通可能であって前記Ｕ字折曲部を天井裏面に係止した状態で前記器具本体の外面に係止可能な係止爪を前記略Ｕ字形部の側片に形成した取付金具とを備えた埋込型照明器具において、
前記略Ｕ字形部の操作部連設部の上端側幅を前記縦スリットに摩擦摺動可能な寸法に設定するとともに、前記操作部連設部の下端側幅を前記上端側幅よりも小さく設定したことを特徴とする埋込型照明器具。
【発明の詳細な説明】
【０００１】
【産業上の利用分野】
この発明は、ダウンライト等の埋込型照明器具に関するものである。
【０００２】
【従来の技術】
従来例を図４ないし図７に示す。すなわち、この埋込型照明器具は、側壁７０に縦スリット７１を有しこの縦スリット７１の上端部に金具挿通用開口７２を有する器具本体７３と、金具挿通用開口７２および縦スリット７１に挿通可能な略Ｕ字形部７４を有するとともに器具本体７３の内面に当接する操作部７５を略Ｕ字形部７４のＵ字折曲部８０と反対側端部に有しさらに金具挿通用開口７２を挿通可能であってＵ字折曲部７４を天井裏面に係止した状態で器具本体７３の外面に係止可能な係止爪７６を略Ｕ字形部７４の側片に形成した取付金具７７とを備えている。
【０００３】
この埋込型照明器具は、器具本体７３を天井材７８の埋込穴７９に挿入し、図６のように略Ｕ字形部７４および係止爪７６を金具挿通用開口７２から外部へ挿通し、操作部７５を指７９で器具本体７３の内面を滑らせながら下降して、略Ｕ字形部７４の先端を天井材７８の裏面に係止する。この場合、取付金具７７を金具挿通用開口７２に通した状態では係止爪７６が器具本体７３の外面に当たるので図６の姿勢になるので、Ｕ字折曲部８０を天井材７８の裏面に係止する際には図７の想像線の状態に取付金具７７を回動させる必要がある。
【０００４】
【発明が解決しようとする課題】
しかし、この埋込型照明器具は、略Ｕ字形部７４の縦スリット７１への摩擦力が比較的強いため、手で操作部７５を下降操作するだけでは図７の実線の状態から想像線の状態へ回動せず、実線の状態のまま略Ｕ字形部７４の先端が天井材７８の裏面に係止する。この結果、取付金具７７による器具本体７３の固定力が弱いので、器具本体７３の重量および振動等により、略Ｕ字形部７４が想像線の状態にすべり、器具本体７３が降下し、器具本体７３が天井材７８から下方に垂下する。そのため取付金具７７を想像線の状態に手で操作する必要があり、施工性が悪くなるという欠点があった。
【０００５】
したがって、この発明の目的は、施工性を向上することができる埋込型照明器具を提供することである。
【０００６】
【課題を解決するための手段】
請求項１の埋込型照明器具は、側壁に縦スリットを有しこの縦スリットの上端部に金具挿通用開口を有する器具本体と、前記金具挿通用開口および前記縦スリットに挿通可能な略Ｕ字形部を有するとともに前記器具本体の内面に当接する操作部を前記略Ｕ字形部のＵ字折曲部と反対側端部に有しさらに前記金具挿通用開口を挿通可能であって前記Ｕ字折曲部を天井裏面に係止した状態で前記器具本体の外面に係止可能な係止爪を前記略Ｕ字形部の側片に形成した取付金具とを備えた埋込型照明器具において、
前記略Ｕ字形部の操作部連設部の上端側幅を前記縦スリットに摩擦摺動可能な寸法に設定するとともに、前記操作部連設部の下端側幅を前記上端側幅よりも小さく設定したことを特徴とするものである。
【０００７】
【作用】
請求項１の埋込型照明器具によれば、器具本体を天井材の埋込穴に挿入し、略Ｕ字形部および係止爪を器具本体の内部から金具挿通用開口を通して外部へ挿通し、操作部を器具本体の内面を滑らせながら下降して、略Ｕ字形部の先端を天井材の裏面に係止する。この場合、略Ｕ字形部の操作部連設部の上端側幅を縦スリットに摩擦摺動可能な寸法に設定するとともに、操作部連設部の下端側幅を上端側幅よりも小さく設定したため、操作部連設部の下端側が上端側より摩擦力が小さいので、操作部を手で下降操作する際に操作部連設部の上端側を回動中心にして略Ｕ字形部を比較的容易に回動することができる。このため、器具本体を確実に固定することができ器具本体が重量や振動等で垂下することを防止できるとともに、従来例と比較して施工性を向上することができる。
【０００８】
【実施例】
この発明の一実施例を図１ないし図３により説明する。すなわち、この埋込型照明器具は、器具本体１と、取付金具２とを有する。
器具本体１は、側壁３に縦スリット４を有し、この縦スリット４の上端部に金具挿通用開口５を有する。実施例の器具本体１は有天円筒形のダウンライトに適用されるものであり（図示せず）、天部が天井材６の埋込穴７に挿入され、器具本体１の下端の開口縁のつば８が埋込穴７の表面側縁部に係止する。
【０００９】
取付金具２は、金具挿通用開口５および縦スリット４に挿通可能な略Ｕ字形部８を有するとともに、器具本体１の内面に当接する操作部９を略Ｕ字形部８のＵ字折曲部１０と反対側端部に有し、さらに金具挿通用開口５を挿通可能であってＵ字折曲部１０を天井裏面に係止した状態で器具本体１の外面に係止可能な係止爪１１を略Ｕ字形部８の側片１６に形成している。
【００１０】
実施例の取付金具２の略Ｕ字形部８は金属板を略Ｕ字形に折曲したものである。Ｕ字折曲部１０では一側に切欠１２を形成して切欠１２の両端に略Ｕ字形部８の両側片１６の端部を突出し、この端部を天井材係止部１３としている。また操作部９はその金属板のＵ字折曲部１０と反対側端部を外側に折曲し、さらにその端部を略Ｕ字形部８と反対向きに折曲して折曲部１４となしその折曲部１４の上端より互いに相接近するように操作片１５を延出し、相重ねたものである。係止爪１１は略Ｕ字形部８の側片１６の縁部より延出しＵ字折曲部１０と反対向きに爪を形成したものである。
【００１１】
また、略Ｕ字形部８の操作部連設部１７の上端側幅Ａを縦スリット４に摩擦摺動可能な寸法に設定するとともに、操作部連設部１７の下端側幅Ｂを上端側幅Ａよりも小さく設定している。実施例においては、上端部幅Ａを縦スリット４の幅Ｗと同等以上に設定して略Ｕ字形部８の金属による弾性により縦スリット４との間に摩擦を付与している。
【００１２】
図２および図３は施工過程を示し、図２のように器具本体１を天井材６の埋込穴７に挿入し、略Ｕ字形部８および係止爪１１を器具本体１の内部から金具挿通用開口５を通して外部へ挿通し、操作部９を器具本体１の内面を滑らせながら下降して、略Ｕ字形部８の先端を天井材６の裏面に係止する。その際上端側幅Ａと下端部幅Ｂの関係Ａ＞Ｂより、上端側幅Ａの操作部連設部１７よりも下端部側幅Ｂの操作部連設部１７の摩擦力が弱くなり、上端側幅Ａの操作部連設部１７が回転中心となって操作部９の手１８による矢印Ｐの方向の下降操作により、略Ｕ字形部８が自然に矢印Ｑの方向に回動し、取付金具２は図３のように略Ｕ字形部８の先端を天井材６の裏面に係止し、器具本体１の固定力が維持される。
【００１３】
この実施例によれば、略Ｕ字形部８の操作部連設部１７の上端側幅を縦スリット４に摩擦摺動可能な寸法に設定するとともに、操作部連設部１７の下端側幅Ｂを上端側幅Ａよりも小さく設定したため、操作部連設部１７の下端側が上端側より摩擦力が小さいので、操作部９を手で下降操作する際に操作部連設部１７の上端側を回動中心にして略Ｕ字形部８を比較的容易に回動することができる。このため、器具本体１を確実に固定することができ器具本体１が重量や振動等で垂下することを防止できるとともに、従来例と比較して施工性を向上することができる。
【００１４】
【発明の効果】
この発明の埋込型照明器具によれば、略Ｕ字形部の操作部連設部の上端側幅を縦スリットに摩擦摺動可能な寸法に設定するとともに、操作部連設部の下端側幅を上端側幅よりも小さく設定したため、操作部連設部の下端側が上端側より摩擦力が小さいので、操作部を手で下降操作する際に操作部連設部の上端側を回動中心にして略Ｕ字形部を比較的容易に回動することができる。このため、器具本体を確実に固定することができ器具本体が重量や振動等で垂下することを防止できるとともに、従来例と比較して施工性を向上することができるという効果がある。
【図面の簡単な説明】
【図１】この発明の一実施例の要部斜視図である。
【図２】取付金具を縦スリットに挿通した状態の断面図である。
【図３】取付金具を天井裏面に係止した状態の断面図である。
【図４】従来例の取付金具の斜視図である。
【図５】取付金具を縦スリットに挿通した状態の斜視図である。
【図６】その取付金具を縦スリットに挿通した状態の断面図である。
【図７】取付金具を天井裏面に係止した状態の断面図である。
【符号の説明】
１    器具本体
２    取付金具
３    側壁
４    縦スリット
５    金具挿通用開口
８    略Ｕ字形部
９    操作部
１０    Ｕ字形折曲部
１１    係止爪
１６    側片
１７    操作部連設部
Ａ    上端側幅
Ｂ    下端側幅
【図１】
0003622239.tif 000002
【図２】
0003622239.tif 000003
【図３】
0003622239.tif 000004
【図４】
0003622239.tif 000005
【図５】
0003622239.tif 000006
【図６】
0003622239.tif 000007
【図７】
0003622239.tif 000008